(57)【要約】      （修正有）【課題】複数の色や柄の中から１つを選択して露出させることが可能であり、胸ポケット内に落ち込むことがなく、型崩れしにくく、部材数が少なくシンプルな構造であり、ポケットチーフを支持する部材が意図せず露出することのない、ポケットチーフを提供する。【解決手段】ポケットチーフ１００は、色及び／又は模様が形成された生地を備えるポケットチーフ１ａ，１ｂ，１ｃ，１ｄであって、互いに色及び／又は模様の異なる複数枚の生地１ａ，１ｂ，１ｃ，１ｄが環状に連接されており、生地１ａ，１ｂ，１ｃ，１ｄの各々は、外面と内面で同一の色及び／又は模様を備え、かつ、生地の各々は、生地上に形成された折目３ａ，３ｂ，３ｃ，３ｄによって隣り合う面として隔てられ、折目３ａ，３ｂ，３ｃ，３ｄによって複数の面が形成された多角筒状とされる。【選択図】図１
0003220591.tif 000002
【実用新案登録請求の範囲】
【請求項１】
色及び／又は模様が形成された生地を備えるポケットチーフであって、
複数枚の生地が環状に連結されており、折目によって複数の面が形成された多角筒状とされ、
前記複数枚の生地は、少なくとも一枚の生地の色及び／又は模様が、残りの生地の色及び／又は模様と異なることを特徴とするポケットチーフ。
【請求項２】
色及び／又は模様が形成された生地を備えるポケットチーフであって、
互いに色及び／又は模様の異なる複数枚の生地が環状に連結されており、
前記生地の各々は、外面と内面で同一の色及び／又は模様を備え、かつ、
前記生地の各々は、生地上に形成された折目によって隣り合う面として隔てられ、
前記折目によって複数の面が形成された多角筒状とされることを特徴とするポケットチーフ。
【請求項３】
前記多角筒状に連結された生地が、対向配置された２つの折目で折り重ねられているとともに、前記生地は、残りの折目により凸形状を形成してなることを特徴とする請求項１又は２記載のポケットチーフ。
【請求項４】
色及び／又は模様が形成された生地を備えるポケットチーフであって、
複数枚の生地が立体状に連結されており、折目によって複数の面が形成された放射状とされ、
前記複数枚の生地は、少なくとも一枚の生地の色及び／又は模様が、残りの生地の色及び／又は模様と異なることを特徴とするポケットチーフ。
【請求項５】
色及び／又は模様が形成された生地を備えるポケットチーフであって、
互いに色及び／又は模様の異なる複数枚の生地が立体状に連結されており、
前記生地の各々は、正面と背面で同一の色及び／又は模様を備え、かつ、
前記生地の各々は、その一端に形成された折目によって隣り合う面として隔てられ、
前記折目によって複数の面が形成された放射状とされることを特徴とするポケットチーフ。
【請求項６】
前記放射状に連結された生地が、前記複数枚の生地の中心に線状に形成された前記折目で折り重ねられているとともに、前記生地は、隣り合う生地の頂部の位置が互いに異なることを特徴とする請求項４又は５記載のポケットチーフ。
【請求項７】
前記生地は、内部に芯材を有し、前記芯材は前記生地の変形に追従可能な弾性素材であることを特徴とする請求項１から６のいずれか一項記載のポケットチーフ。
【考案の詳細な説明】
【技術分野】
【０００１】
本考案は、洋服等の胸ポケットに挿し込み、胸ポケットから一部露出させて装飾するポケットチーフに関する。
【背景技術】
【０００２】
従来、ポケットチーフは、着用する洋服の色や柄に応じた、胸飾り用のハンカチを使用している。胸飾り用のハンカチは、広げた状態で正方形であり、胸ポケットに挿し込んだ際に見栄えが良くなるように、一般的なハンカチ（手拭き用のハンカチ）と比較して小さなサイズとされる。そして、好みの形状に折り畳んで洋服の胸ポケットに挿し込み、一部を露出させる。
【０００３】
ポケットチーフは、着用する洋服の色や柄等に応じて、その色や柄も変更する必要があるため、煩わしさを伴っていた。そこで以前から、色や柄を選択可能なポケットチーフが提案されている（特許文献１，２）。
【０００４】
特許文献１は、全面を略等面積の複数の区画、例えば、中央部の四角形の一区画２と、各角部の隣接する五角形の四区画３との五区画に区分けし、各区画をそれぞれ異なる色に色分けした、胸ポケット用ハンカチーフを開示している。
【０００５】
特許文献２は、胸ポケットに挿入して上着を装飾するポケットチーフ１において、カード形状のホルダー部２と、ホルダー部２の一辺に第一装飾用ハンカチーフ部３−１と、その対辺に第二装飾用ハンカチーフ部３−２と、を備え、第一装飾用ハンカチーフ部３−１と第二装飾用ハンカチーフ部３−２とを、それぞれホルダー部２から延在して露出するようにホルダー部２によって挟着するポケットチーフ１を開示している。
【先行技術文献】
【特許文献】
【０００６】
【特許文献１】実願平０９−００８２９４号公報
【特許文献２】実願２０１４−００４５０２号公報
【特許文献３】特開２００９−１１４５８７号公報
【考案の概要】
【考案が解決しようとする課題】
【０００７】
特許文献１のような正方形のハンカチを折り畳んでポケットチーフとすると、型崩れしやすく、一定の形状を保持できないという問題がある。
【０００８】
特許文献２では、第一装飾用ハンカチーフ部と第二装飾用ハンカチーフとを有するものの、３つ以上の色や柄の中から好みのものを選択するということはできない。
【０００９】
また従来、ポケットチーフが胸ポケットの深さよりもサイズが小さい場合、胸ポケット内に落ち込んでしまうという問題がある。このような事態を回避すべく、支持体を別に備えたポケットチーフが提案されている（特許文献３）。
【００１０】
特許文献３では、支持体５２０は、逆Ｕ字状の切り込み５２２を設けることにより形成された第１の挟持片５２１を有し、第１の挟持片５２１とそれ以外の部分とでポケットチーフ本体５１０下部を挟持することによりポケットチーフ本体５１０の高さを変更可能としており、ポケットチーフ本体５１０は差込片５１１片面に形成された切り込み部５１３より支持体５２０を差込片５１１の内部５１８へ挿入可能としており、支持体５２０は、第１の挟持片５２１とそれ以外の部分とで切り込み部５１３を挟持したときに、ポケットチーフ本体５１０の高さを変えることなく当該ポケットチーフ本体５１０に固定可能とした、簡易ポケットチーフが開示されている。
【００１１】
特許文献２,３では、胸ポケット内でポケットチーフを支持する部材（特許文献２ではホルダー部２、特許文献３では支持体５２０）を備えるため、ポケットチーフを構成する部材数が増えていた。加えてホルダー部２や支持体５２０は、露出させない部材であるため、意図せず露出させてしまうと見栄えが悪くなり、注意する必要があった。
【００１２】
そこで本考案の目的は、１）複数の色や柄の中から１つを選択して露出させることが可能であり、２）胸ポケット内に落ち込むことがなく、３）型崩れしにくく、４）部材数が少なくシンプルな構造であり、５）ポケットチーフを支持する部材が意図せず露出することのない、ポケットチーフを提供することにある。
【課題を解決するための手段】
【００１３】
本考案のポケットチーフは、色及び／又は模様が形成された生地を備えるポケットチーフであって、複数枚の生地が環状に連結されており、折目によって複数の面が形成された多角筒状とされ、前記複数枚の生地は、少なくとも一枚の生地の色及び／又は模様が、残りの生地の色及び／又は模様と異なることを特徴とする。
本考案のポケットチーフは、色及び／又は模様が形成された生地を備えるポケットチーフであって、互いに色及び／又は模様の異なる複数枚の生地が環状に連結されており、前記生地の各々は、外面と内面で同一の色及び／又は模様を備え、かつ、前記生地の各々は、生地上に形成された折目によって隣り合う面として隔てられ、前記折目によって複数の面が形成された多角筒状とされることを特徴とする。
色には、白や黒が含まれる。また透明色も色の１つとして含まれる。「色及び／又は模様が形成された生地」とは、色及び模様が形成された生地や、色又は模様が形成された生地を含む。すなわち、色と模様を備える生地や、色を備える生地（模様の有無は問わない）や、模様を備える生地（色の有無は問わない）が含まれる。
多角筒は、底面と上面とが多角形の筒（本発明のポケットチーフの場合、図３の側面図でみた際に開口が多角形の形状をした筒）のことである。外面とは、図３に外面Ａとして示したように、ポケットチーフを側面から見た際の角筒形状において、外部に面した生地のことである。内面とは、図３に内面Ｂとして示したように、ポケットチーフを側面から見た際の角筒形状において、内部に面した生地のことである
本考案によれば、複数の色や柄の中から１つを選択して露出させることが可能である。そして多角形状であるとともに、折目を有するため、ポケットチーフが胸ポケット内に落ち込むことがなく、型崩れしにくく、一定の形状を保持できる。また部材数が少なくシンプルな構造で、生地だけからポケットチーフが構成されており、生地の外部に支持部材を有していないため、支持部材が意図せず露出するといった不具合もない。
【００１４】
本考案のポケットチーフは、前記多角筒状に連結された生地が、対向配置された２つの折目で折り重ねられているとともに、前記生地は、残りの折目により凸形状を形成してなることを特徴とする。
本考案によれば、生地が折り重ねられていることや、生地上の折目によって僅かに凸形状が形成されていることで、ポケットチーフを胸ポケット内に入れた際に摩擦力が向上する。生地の厚みや凸形状がいわゆるストッパーの役割を果たすため、胸ポケット内に落ち込みにくくなる。
【００１５】
本考案のポケットチーフは、色及び／又は模様が形成された生地を備えるポケットチーフであって、複数枚の生地が立体状に連結されており、折目によって複数の面が形成された放射状とされ、前記複数枚の生地は、少なくとも一枚の生地の色及び／又は模様が、残りの生地の色及び／又は模様と異なることを特徴とする。
本考案のポケットチーフは、色及び／又は模様が形成された生地を備えるポケットチーフであって、互いに色及び／又は模様の異なる複数枚の生地が立体状に連結されており、前記生地の各々は、正面と背面で同一の色及び／又は模様を備え、かつ、前記生地の各々は、その一端に形成された折目によって隣り合う面として隔てられ、前記折目によって複数の面が形成された放射状とされることを特徴とする。
より詳細には、ポケットチーフは、中心に線状の折目を有し、互いに色及び／又は模様の異なる複数枚の生地の各々の一端が、折目を中心として結合されて断面形状が放射状に形成されてなる。
放射状とは、一点を中心に四方八方へ伸び出た形である。図２０に示すように、ポケットチーフは、側面からみた際に、線状の折目を中心として放射状となる。生地の正面とは、図２０に正面Ｃとして示したように、ポケットチーフの開口を両側に配して正面から見た際に、正面に位置する生地のことである。生地の背面とは、図２０に背面Ｄとして示したように、ポケットチーフの開口を両側に配して正面から見た際に、背面に位置する生地のことである
本考案によれば、複数の色や柄の中から１つを選択して露出させることが可能である。また放射状（立体状）であり厚みを有するため、胸ポケット内に落ち込むことがなく、型崩れしにくい。そして部材数が少なくシンプルな構造で、生地だけからポケットチーフが構成されており、支持部材を有していないため、支持部材が意図せず露出するといった不具合もない。
【００１６】
本考案のポケットチーフは、前記放射状に連結された生地が、前記複数枚の生地の中心に線状に形成された前記折目で折り重ねられているとともに、前記生地は、隣り合う生地の頂部の位置が互いに異なることを特徴とする。
本考案によれば、複数枚の生地が折り重ねられていることで、ポケットチーフを胸ポケット内に入れた際に摩擦力が向上する。生地の厚みによって、ポケットチーフが胸ポケット内に落ち込みにくくなる。
【００１７】
本考案のポケットチーフは、前記生地は、内部に芯材を有し、前記芯材は前記生地の変形に追従可能な弾性素材であることを特徴とする。
本考案によれば、芯材を有することで、さらに型崩れしにくく、一定の形状を保持しやすくなる。例えば、折目によって生地上に形成された僅かな凸形状も維持されやすくなるため、ポケットチーフが胸ポケット内にさらに落ち込みにくくなる。芯材は、生地に接着可能な接着芯が使用されることが好ましい。これにより一層型崩れしにくく、形状保持が容易となる。また、生地の内部に配された芯材によって、胸ポケット内にポケットチーフが落ちないよう支持するため、芯材が意図せず露出するといった不具合もない。
【考案の効果】
【００１８】
本考案によれば、１）複数の色や柄の中から１つを選択して露出させることが可能であり、２）胸ポケット内に落ち込むことがなく、３）型崩れしにくく、４）部材数が少なくシンプルな構造であり、５）ポケットチーフを支持する部材が意図せず露出することのない、ポケットチーフを提供することができる。
【図面の簡単な説明】
【００１９】
【図１】本考案の第１の実施形態のポケットチーフ１００を示す斜視図である。
【図２】上記実施形態のポケットチーフ１００を示す正面図である。
【図３】上記実施形態のポケットチーフ１００を示す側面図である。
【図４】上記実施形態のポケットチーフ１００を対角上に位置する折目３ａ，３ｃで折り重ねた正面図である。
【図５】上記実施形態のポケットチーフ１００を対角上に位置する折目３ａ，３ｃで折り重ねた平面図である。
【図６】上記実施形態のポケットチーフ１００を対角上に位置する折目３ａ，３ｃで折り重ねた側面図である。
【図７】上記実施形態のポケットチーフ１００を対角上に位置する折目３ｂ，３ｄで折り重ねた側面図である。
【図８】上記実施形態のポケットチーフ１００を胸ポケットに挿し込んで露出させた写真である。
【図９】上記実施形態のポケットチーフ１００の作成方法（ステップ２）を説明する図である。
【図１０】上記実施形態のポケットチーフ１００の作成方法（ステップ２）を説明する図である。
【図１１】上記実施形態のポケットチーフ１００の作成方法（ステップ２）を説明する図である。
【図１２】上記実施形態のポケットチーフ１００の作成方法（ステップ２）を説明する図である。
【図１３】上記実施形態のポケットチーフ１００の作成方法（ステップ３）を説明する図である。
【図１４】上記実施形態のポケットチーフ１００の作成方法（ステップ３）を説明する図である。
【図１５】上記実施形態のポケットチーフ１００の作成方法（ステップ３）を説明する図である。
【図１６】上記実施形態のポケットチーフ１００の作成方法（ステップ３）を説明する図である。
【図１７】上記実施形態のポケットチーフ１００の作成方法（ステップ３）を説明する図である。
【図１８】上記実施形態のポケットチーフ１００の作成方法（ステップ３）を説明する図である。
【図１９】上記実施形態のポケットチーフ１００の作成方法（ステップ４）を説明する図である。
【図２０】本考案の第２の実施形態のポケットチーフ２００の斜視図である。
【図２１】上記実施形態のポケットチーフ２００を示す正面図である。
【図２２】上記実施形態のポケットチーフ２００を、畳んで重ね合わせた状態の正面図である。
【図２３】上記実施形態のポケットチーフ２００を胸ポケットに挿し込んで露出させた写真である。
【図２４】別の実施形態のポケットチーフ３００を示す側面図である。
【図２５】別の実施形態のポケットチーフ４００を示す側面図である。
【考案を実施するための形態】
【００２０】
以下、本考案を実施するための一形態について図面を引用しながら説明する。
【００２１】
（第１の実施の形態）
図１は、本考案の第１の実施形態のポケットチーフ１００を示す斜視図であり、図２は、本実施形態のポケットチーフ１００を示す正面図である。図３は、本実施形態のポケットチーフ１００を示す側面図である。
【００２２】
本実施の形態のポケットチーフ１００は、色及び／又は模様が形成された生地（１ａ，１ｂ，１ｃ，１ｄ）を備える。各生地は色を備えており、色には白や黒も含まれる。透明色の生地であってもよい。また色に加えて模様が備わった生地であってもよい。ポケットチーフ１００は、複数枚の生地（１ａ，１ｂ，１ｃ，１ｄ）が環状に連結されており、折目（３ａ，３ｂ，３ｃ，３ｄ）によって複数の面（４ａ，４ｂ，４ｃ，４ｄ）が形成された多角筒状とされ、複数枚の生地（１ａ，１ｂ，１ｃ，１ｄ）は、少なくとも一枚の生地（例えば１ａ）の色及び／又は模様が、残りの生地（例えば１ｂ，１ｃ，１ｄ）の色及び／又は模様と異なる。
【００２３】
ポケットチーフ１００は、色及び／又は模様が形成された生地（１ａ，１ｂ，１ｃ，１ｄ）を備える（図１〜３）。生地（１ａ）は、図３に示すように、外面Ａ（断面でみた際の四角筒状のポケットチーフにおいて、外部に面する生地）と内面Ｂ（断面でみた際の四角筒状のポケットチーフにおいて、内部に面する生地）とが、同一の色及び／又は模様を備える。生地（１ｂ，１ｃ，１ｄ）も各々同様である。すなわち、生地（１ａ，１ｂ，１ｃ，１ｄ）の各々は、外面Ａと内面Ｂとで同一の色及び／又は模様を備える（図１,３）。
【００２４】
図１に示した生地（１ａ，１ｂ，１ｃ，１ｄ）の各々は、互いに色及び／又は模様が異なるものであり、ポケットチーフ１００は、互いに色及び／又は模様の異なる複数枚の生地（１ａ，１ｂ，１ｃ，１ｄ）が環状に連結されてなる。生地は複数枚であれば特に限定されないが、好ましくは偶数枚とされ、より好ましくは４枚とされる。例えば、本実施の形態のポケットチーフ１００は、互いに色及び／又は模様の異なる４枚の生地（１ａ，１ｂ，１ｃ，１ｄ）が環状に連接されるものである（図１〜３）。
【００２５】
第１の色及び／又は模様の生地（１ａ）と、第２の色及び／又は模様の生地（１ｂ）とは、第１の境目（２ａ）を介して連接されている。第２の色及び／又は模様の生地（１ｂ）と、第３の色及び／又は模様の生地（１ｃ）とは、第２の境目（２ｂ）を介して連接されている。第３の色及び／又は模様の生地（１ｃ）と、第４の色及び／又は模様の生地（１ｄ）とは、第３の境目（２ｃ）を介して連接されている。第４の色及び／又は模様の生地（１ｄ）と、第１の色及び／又は模様の生地（１ａ）とは、第４の境目（２ｄ）を介して連接されている。
【００２６】
また、ポケットチーフ１００は、４枚の生地（１ａ，１ｂ，１ｃ，１ｄ）の各々が、生地上に形成された折目（３ａ，３ｂ，３ｃ，３ｄ）によって隣り合う面として隔てられている。第１の色及び／又は模様の生地（１ａ）は、第１の折目（３ａ）によって第４の面（４ｄ）と第１の面（４ａ）として隔てられている（図３）。第２の色及び／又は模様の生地（１ｂ）は、第２の折目（３ｂ）によって第１の面（４ａ）と第２の面（４ｂ）として隔てられている。第３の色及び／又は模様の生地（１ｃ）は、第３の折目（３ｃ）によって第２の面（４ｂ）と第３の面（４ｃ）として隔てられている。第４の色及び／又は模様の生地（１ｄ）は、第４の折目（３ｄ）によって第３の面（４ｃ）と第４の面（４ｄ）として隔てられている。
【００２７】
このように、生地（１ａ）は折目（３ａ）によって隣り合う面である第４の面（４ｄ）と第１の面（４ａ）に、生地（１ｂ）は折目（３ｂ）によって隣り合う面である第１の面（４ａ）と第２の面（４ｂ）に、生地（１ｃ）は折目（３ｃ）によって隣り合う面である第２の面（４ｂ）と第３の面（４ｃ）に、生地（１ｄ）は折目（３ｄ）によって隣り合う面である第３の面（４ｃ）と第４の面（４ｄ）に隔てられ、複数の折目（３ａ，３ｂ，３ｃ，３ｄ）によって４つの面（４ａ，４ｂ，４ｃ，４ｄ）が形成された四角筒状とされる。
【００２８】
本考案のポケットチーフは、上述のような生地が４枚の場合に限らず、複数枚の生地の各々が、生地上に形成された折目によって隣り合う面として隔てられ、複数の折目によって複数の面が形成された多角筒状とされるものであってもよい。複数枚の生地からなる多角筒状とすることで、色及び／又は模様の異なる複数枚の生地から１つの生地を選択できる。
【００２９】
本考案のポケットチーフは、好ましくは、色及び／又は模様が形成された生地を備えるポケットチーフであって、互いに色及び／又は模様の異なる偶数枚の生地が環状に連接されており、偶数枚の生地の各々は、外面と内面で同一の色及び／又は模様を備え、かつ、偶数枚の生地の各々は、生地上に形成された折目によって隣り合う面として隔てられ、折目によって偶数の面が形成された多角筒状とされる。
本考案によれば、折目によって形成される多角筒は、偶数枚の生地からなる偶数角の多角筒（例えば四角筒、六角筒、または八角筒等）が好ましい。これによりポケットチーフを折り畳んでポケットから露出させた時に、露出させたポケットチーフの前後の色及び／又は模様を同じとすることができる。また奇数角の多角筒（例えば五角筒、七角筒等）では、立体形状のポケットチーフを折目で折り畳もうとしても扁平にすることはできないが、偶数角の多角筒であれば、立体形状のポケットチーフを略対角上に位置する２つの折目で折り畳んで、生地を重ね合わせ、扁平にすることができる。従って、胸ポケットから容易に出し入れすることができる。
【００３０】
本考案のポケットチーフは、より好ましくは四角筒状とされる。四角筒状とすることで、４枚よりも多い生地からなる同じサイズの多角筒のポケットチーフと比較して、１つ１つの生地の面積が広がるため、１つの色及び／又は模様の生地を大きく露出させることができる。
【００３１】
次に、洋服等の胸ポケットに挿し込み、胸ポケットから一部露出させることで洋服を装飾する際のポケットチーフ１００の状態を説明する。図４は、本実施形態のポケットチーフ１００を略対角上に位置する２つの折目（３ａ，３ｃ）で折り畳んだ際の正面図である。図５は、本実施形態のポケットチーフ１００を略対角上に位置する２つの折目（３ａ，３ｃ）で折り畳んだ際の平面図である。図６は、本実施形態のポケットチーフ１００を略対角上に位置する２つの折目（３ａ，３ｃ）で折り畳んだ際の側面図である。図７は、本実施形態のポケットチーフ１００を略対角上に位置する２つの折目（３ｂ，３ｄ）で折り畳んだ際の側面図である。図８は、本実施形態のポケットチーフ１００を胸ポケットに挿し込んで一部露出させた写真である。
【００３２】
装飾時のポケットチーフ１００は、折目で折り畳まれて生地が重ね合わされた状態であり、この状態で胸ポケットに挿し込まれる（図４〜８）。好ましくは、１つの色及び柄が見えるように、複数の生地のうち１つの生地が胸ポケットから露出される（図８）。ポケットチーフ１００の横幅は、スーツの胸ポケットの開口幅（１０〜１５ｃｍ程度）よりも１ｃｍ〜３ｃｍ程度小さいサイズ（７〜１４ｃｍ程度）であり、好ましくは７〜９ｃｍ程度である（図８）。
【００３３】
ポケットチーフ１００は、多角筒状に連結された生地（１ａ，１ｂ，１ｃ，１ｄ）が、対向配置された２つの折目（３ａ，３ｃ）で折り重ねられているとともに、生地（１ａ，１ｂ，１ｃ，１ｄ）が、残りの折目（３ｂ，３ｄ）により凸形状を形成してなる（図６）。図６では、四角筒状に連接された生地（１ａ，１ｂ，１ｃ，１ｄ）のうち、第１の色及び／又は模様の生地（１ａ）が第１の折目（３ａ）で折り重ねられ、第３の色及び／又は模様の生地（１ｃ）が、第１の折目（３ａ）の略対角上に位置した第３の折目（３ｃ）で折り重ねられている。これとともに、生地（１ａ，１ｂ，１ｃ，１ｄ）のうち、残りの生地である、第２の色及び／又は模様の生地（１ｂ）が第２の折目（３ｂ）により凹凸を形成し、残りの生地である、第４の色及び／又は模様の生地（１ｄ）が第４の折目（３ｄ）により凹凸を形成している。この時、第２の折目（３ｂ）の内面Ｂや第４の折目（３ｄ）の内面Ｂは凹形状となり、第２の折目（３ｂ）の外面Ａや第４の折目（３ｄ）の外面Ａは凸形状となる。
【００３４】
またポケットチーフ１００は、生地（１ａ，１ｂ，１ｃ，１ｄ）が、対向配置された２つの折目（３ｂ，３ｄ）で折り重ねられているとともに、残りの折目（３ａ，３ｃ）により凸形状を形成してなっていてもよい（図７）。図７では、四角筒状に連接された生地（１ａ，１ｂ，１ｃ，１ｄ）のうち、第２の色及び／又は模様の生地（１ｂ）が第２の折目（３ｂ）で折り重ねられ、第４の色及び／又は模様の生地（１ｄ）が、第２の折目（３ｂ）の略対角上に位置した第４の折目（３ｄ）で折り重ねられている。これとともに、生地（１ａ，１ｂ，１ｃ，１ｄ）のうち、残りの生地である、第１の色及び／又は模様の生地（１ａ）が第１の折目（３ａ）により凹凸を形成し、残りの生地である、第３の色及び／又は模様の生地（１ｃ）が第３の折目（３ｃ）により凹凸を形成している。この時、第１の折目（３ａ）の内面Ｂや第３の折目（３ｃ）の内面Ｂは凹形状となり、第１の折目（３ａ）の外面Ａや第３の折目（３ｃ）の外面Ａは凸形状となる。
【００３５】
ポケットチーフ１００は、生地上の折目によって僅かに凸形状が形成されていることで、ポケットチーフ１００を胸ポケット内に入れた際に、ポケットの内面との間で摩擦力が生じる。いわば凸形状がポケット内でストッパーの役割を果たすため、ポケットチーフ１００全体が、胸ポケット内にずり落ちてしまう事態を防止することができる。なお、多角筒形状の角を増やす（例えば六角筒とする）ことで、折目によって形成される生地上の凸形状を増やし摩擦力を向上させ、さらにずり落ちにくくすることもできる。
【００３６】
なお生地（１ａ，１ｂ，１ｃ，１ｄ）は、後述するように内部に芯材（５）を有することが好ましい（図９）。芯材（５）は、いわゆる接着芯（５）のように、生地の変形に追従可能な弾性素材とされる。接着芯（５）は、綿または、綿及びポリエステルを含有する素材からなることが好ましい。不織布の場合、洗濯ができず型崩れする場合もあるが、綿やポリエステルを含有する素材であれば、洗濯が容易である。接着芯（５）を有することで、生地が丈夫になるだけでなく、折目が付きやすくなり、形状の維持も容易となる。これにより生地上の折目によって形成された凸形状が維持されやすくなる。従って例えば絹のように生地が柔らかく形状維持が難しい素材には接着芯（５）が好適である。
【００３７】
同様の理由から、生地（１ａ，１ｂ，１ｃ，１ｄ）は、硬めの生地、厚みのある生地、形状記憶生地等にしてもよい。これらの構成により、胸ポケット内に入れた際の摩擦力がさらに向上し、胸ポケット内にずり落ちてしまう事態を防止することができる。
【００３８】
次に本実施の形態のポケットチーフの作成方法を説明する。図９〜１２は、本実施形態のポケットチーフ１００の作成方法（ステップ２）を説明する図である。図１３〜１８は、本実施形態のポケットチーフ１００の作成方法（ステップ３）を説明する図である。図１９は、本実施形態のポケットチーフ１００の作成方法（ステップ４）を説明する図である。
【００３９】
まず、第１の色及び／又は模様の生地（１ａ）、第２の色及び／又は模様の生地（１ｂ）、第３の色及び／又は模様の生地（１ｃ）、第４の色及び／又は模様の生地（１ｄ）を用意する（ステップ１）。各々の生地は、横１８ｃｍ、縦７ｃｍの大きさとされている。
【００４０】
第１の色及び／又は模様の生地（１ａ）の裏側において、生地（１ａ）の四辺から１ｃｍ内側の位置に、接着芯（５）を貼り付ける（図９）（ステップ２開始）。そして、生地（１ａ）を中表の状態で、生地（１ａ）の左右両端を重ね合わせて、重ね合わせた生地（１ａ）の端から１ｃｍ内側の位置を、始めと終わりは返し縫いにして縫い合わせ、縫い目（６）を形成する（図１０）。その後、縫い合わさる部分を二手に割ってアイロンがけする（図１１）。以上のように、生地（１ａ）は、接着芯（５）を貼った後、中表の状態で両端を縫い合わせて環状にする。中表の状態で縫い合わせていくことにより、後のステップで返し口（７）から生地を返した際に、一枚の生地を環状にする縫い目（６）や、生地同士を繋ぐ縫い目（８）が隠れる。
【００４１】
第２の色及び／又は模様の生地（１ｂ）や、第３の色及び／又は模様の生地（１ｃ）も同様であり、各々、接着芯（５）を貼った後、中表の状態で両端を縫い合わせて環状にする（不図示）。第４の色及び／又は模様の生地（１ｄ）だけは一部異なり、中表の状態で両端を縫い合わせる際に、途中部分を４ｃｍ程縫わずに開けておくことで、返し口（７）を形成しておく（図１２）（ステップ２完了）。
【００４２】
次に、ステップ２で作成した環状の生地同士（１ａ，１ｂ，１ｃ，１ｄ）を中表で合わせ、重なり合う一辺を一周縫って、縫い目（８）を形成する（図１３，１４）（ステップ３開始）。まず、中表となった第１の色及び／又は模様の生地（１ａ）の環状内に、外表となった第２の色及び／又は模様の生地（１ｂ）を挿入する（図１３）。そして、第１の色及び／又は模様の生地（１ａ）と、第２の色及び／又は模様の生地（１ｂ）とが重なり合う状態で、右側の一辺を一周縫い合わせ、縫い目（８）を形成する（図１４）。その後、第１の色及び／又は模様の生地（１ａ）から第２の色及び／又は模様の生地（１ｂ）を引っ張り出して広げることで、第２の色及び／又は模様の生地（１ｂ）が中表となるようにし、一周縫い合わさる部分を二手に割ってアイロンがけする（図１５）。第３の色及び／又は模様の生地（１ｃ）や、第４の色及び／又は模様の生地（１ｄ）も同様であり、中表に合わせて縫って割る（図１６，１７）。そして図１７に示すように、生地の一端を筒の内側（矢印ｚの方向）に折り込んでいき、左側端（９ａ）と右側端（９ｂ）とを中表に縫い合わせて縫い目（８）を形成し、同様に割ってアイロンがけする。このようにして４枚の生地（１ａ，１ｂ，１ｃ，１ｄ）を繋ぎ合わせる（図１８）（ステップ３完了）。
【００４３】
その後、図１８に示した返し口（７）から裏返して、環状にし、返し口（７）をかがり縫いする（図１９）（ステップ４開始）。縫い目（６）を裏返した箇所には、一枚の生地の繋ぎ目（１０）が形成されている（図１９）。ポケットチーフ１００の内面Ｂにおいて、環状のポケットチーフ１００の周方向に沿って、各々の生地（１ａ，１ｂ，１ｃ，１ｄ）の略中央位置に繋ぎ目（１０）が隠れるように、各々の生地の両縁（１１ａ，１１ｂ，１１ｃ，１１ｄ）が形成される（図１９）。これにより、繋ぎ目（１０）が外面Ａや両縁（１１ａ，１１ｂ，１１ｃ，１１ｄ）に現れなくなるため、見た目にも美しい仕上がりとなる。そして、環状のポケットチーフ１００の軸方向において、軸と平行になるように、各々の生地の略中央位置（例えば、生地（１ｂ）であれば破線ｙの位置）に、折目（３ａ，３ｂ，３ｃ，３ｄ）をつけ、四角筒状に形を整える。このようにして、図１で示すような角筒状のポケットチーフ１００を完成させる（ステップ４完了）。
【００４４】
以上のように本実施の形態を説明してきたが、本考案のポケットチーフは、必ずしも折目によって生地上に凸形状が形成されるポケットチーフに限定されるものではない。例えば高柔軟性生地のように、凸形状が形成されないポケットチーフが含まれていてもよい。
【００４５】
（第２の実施の形態）
図２０は、本考案の第２の実施形態のポケットチーフ２００の斜視図である。図２１は、本実施形態のポケットチーフ２００を示す正面図である。図２２は、本実施形態のポケットチーフ２００を、生地を折り重ねた状態の正面図である。図２３は、本実施形態のポケットチーフ２００を胸ポケットに挿し込んで露出させた写真である。
【００４６】
本実施形態のポケットチーフ２００は、色及び／又は模様が形成された生地（２１ａ，２１ｂ，２１ｃ，２１ｄ）を備えるポケットチーフであって、複数枚の生地（２１ａ，２１ｂ，２１ｃ，２１ｄ）が立体状に連結されており、折目（２３）によって複数の面（２４ａ，２４ｂ，２４ｃ，２４ｄ）が形成された放射状とされ、複数枚の生地（２１ａ，２１ｂ，２１ｃ，２１ｄ）は、少なくとも一枚の生地（例えば２１ａ，２１ｂ）の色及び／又は模様が、残りの生地（例えば２１ｃ，２１ｄ）の色及び／又は模様と異なる（図２０）。
【００４７】
ポケットチーフ２００は、複数枚の生地（２１ａ，２１ｂ，２１ｃ，２１ｄ）の中心に、長手方向に沿って線状に形成された折目（２３）を有する。図２０に示すポケットチーフ２００は、互いに色及び／又は模様の異なる複数枚の生地（２１ａ，２１ｂ，２１ｃ，２１ｄ）の各々の一端が、折目（２３）を中心として結合されて、断面形状（あるいはポケットチーフ２００の側面の形状）が放射状に形成されてなる。各々の生地（２１ａ，２１ｂ，２１ｃ，２１ｄ）は、正面Ｃと背面Ｄとで同一の色及び／又は模様を備える。生地の各々（２１ａ，２１ｂ，２１ｃ，２１ｄ）は、その一端に形成された折目（２３）によって隣り合う面（２４ａ，２４ｂ，２４ｃ，２４ｄ）として隔てられる。また隣り合う生地同士を重ね合わせた際に、隣り合う生地の頂部の位置（２２ａ，２２ｂ，２２ｃ，２２ｄ）は互いに異なる（図２０〜２２）。服を装飾する際には、放射状に連結された生地同士が、複数枚の生地（２１ａ，２１ｂ，２１ｃ，２１ｄ）の中心に線状に形成された折目（２３）で折り重ねられて、胸ポケットに挿し込まれる。
【００４８】
図２０〜２２に示すように、第１の色及び／又は模様の生地（２１ａ）と、第２の色及び／又は模様の生地（２１ｂ）と、第３の色及び／又は模様の生地（２１ｃ）と、第４の色及び／又は模様の生地（２１ｄ）とは、互いに色及び／又は模様の異なる生地である。ポケットチーフ２００は、第１の色及び／又は模様の生地（２１ａ）の一端と、第２の色及び／又は模様の生地（２１ｂ）の一端と、第３の色及び／又は模様の生地（２１ｃ）の一端と、第４の色及び／又は模様の生地の一端（２１ｄ）とが、折目（２３）を中心として結合されて断面形状が放射状に形成されてなる（図２０）。
【００４９】
第１の色及び／又は模様の生地（２１ａ）の正面Ｃと背面Ｄ（ポケットチーフ２００の長手方向の両側面）は、同一の色及び／又は模様を備える（図２０）。そのため、本実施の形態では、第１の色及び／又は模様の生地（２１ａ）の正面Ｃと背面Ｄとは、どちらも、第１の色及び／又は模様の生地（２１ａ）の面（２４ａ）とされる。同様に、第２の色及び／又は模様の生地（２１ｂ）の正面と背面は、同一の色及び／又は模様を備える。第２の色及び／又は模様の生地（２１ｂ）の正面と背面とは、どちらも、第２の色及び／又は模様の生地（２１ｂ）の面（２４ｂ）とされる。第３の色及び／又は模様の生地（２１ｃ）の正面と背面は、同一の色及び／又は模様を備え、第３の色及び／又は模様の生地（２１ｃ）の正面と背面とは、どちらも、第３の色及び／又は模様の生地（２１ｃ）の面（２４ｃ）とされる。第４の色及び／又は模様の生地（２１ｄ）の正面と背面は、同一の色及び／又は模様を備え、第４の色及び／又は模様の生地（２１ｄ）の正面と背面とは、どちらも、第４の色及び／又は模様の生地（２１ｄ）の面（２４ｄ）とされる。
【００５０】
ポケットチーフ２００は、隣り合う生地同士である、第１の色及び／又は模様の生地（２１ａ）と第２の色及び／又は模様の生地（２１ｂ）とを折目（２３）で折り重ねると、第１の色及び／又は模様の生地（２１ａ）の頂部（２２ａ）の位置と、第２の色及び／又は模様の生地（２１ｂ）の頂部（２２ｂ）の位置とが異なる（図２２）。同様に、第２の色及び／又は模様の生地（２１ｂ）と第３の色及び／又は模様の生地（２１ｃ）とを折目（２３）で折り重ねると、第２の色及び／又は模様の生地（２１ｂ）の頂部（２２ｂ）の位置と、第３の色及び／又は模様の生地（２１ｃ）の頂部（２２ｃ）の位置とが異なる。また、第３の色及び／又は模様の生地（２１ｃ）と第４の色及び／又は模様の生地（２１ｄ）とを折目（２３）で折り重ねると、第３の色及び／又は模様の生地（２１ｃ）の頂部（２２ｃ）の位置と、第４の色及び／又は模様の生地（２１ｄ）の頂部（２２ｄ）の位置とが異なる。そして、第４の色及び／又は模様の生地（２１ｄ）と第１の色及び／又は模様の生地（２１ａ）とを折目（２３）で折り重ねると、第４の色及び／又は模様の生地（２１ｄ）の頂部（２２ｄ）の位置と、第１の色及び／又は模様の生地（２１ａ）の頂部（２２ａ）の位置とが異なる。このようにすることで、複数枚の生地を重ね合わせ、ポケットチーフ２００を胸ポケットに挿し込んで一部露出させると、少なくとも２枚の生地の頂部が外部から視認可能となる（図２３）。
【００５１】
なお本実施の形態のポケットチーフ２００の場合においても、第１の実施の形態のポケットチーフ１００と同様、ポケットチーフ２００の横幅は、スーツの胸ポケットの開口幅（１０〜１５ｃｍ程度）よりも１ｃｍ〜３ｃｍ程度小さいサイズ（７〜１４ｃｍ程度）であり、好ましくは７〜９ｃｍ程度である（図２３）。また、生地（２１ａ，２１ｂ，２１ｃ，２１ｄ）は、内部に芯材を有していてもよく、芯材は、いわゆる接着芯のような、生地の変形に追従可能な弾性素材とすることができる。生地（２１ａ，２１ｂ，２１ｃ，２１ｄ）は、硬めの生地、厚みのある生地、形状記憶生地等にしてもよい。
【００５２】
図２４は別の実施の形態のポケットチーフ３００を示す側面図である。図２５はさらに別の実施の形態のポケットチーフ４００を示す側面図である。本考案は、図２４，２５に示すように、第１の実施の形態のポケットチーフと、第２の実施の形態のポケットチーフとが融合したポケットチーフ３００，４００であってもよい。
【００５３】
図２４に示すポケットチーフ３００では、第１の実施の形態の折目（３ａ，３ｂ，３ｃ，３ｄ）と同様の機能を有する折目（３３）を備え、さらに、第２の実施の形態の折目（２３）と同様の機能を有する折目（３２３）を備えている。すなわち、ポケットチーフ３００は、第１の実施の形態で示したような、折目（３３）によって多角筒状とされたポケットチーフ１００Ａ，１００Ｂを備え、かつ、それらのポケットチーフ１００Ａ，１００Ｂが、第２の実施の形態で示したような、折目（３２３）によって放射状に連結されている。
【００５４】
また図２５に示すポケットチーフ４００においても、第１の実施の形態の折目（３ａ，３ｂ，３ｃ，３ｄ）と同様の機能を有する折目（４３）を備え、さらに、第２の実施の形態の折目（２３）と同様の機能を有する折目（４２３）を備えている。すなわち、ポケットチーフ４００は、第１の実施の形態で示したような、折目（４３）によって多角筒状とされたポケットチーフ１００Ｃに対し、その他の色及び／又は模様を有する生地（４２１ａ，４２１ｂ，４２１ｃ）が、第２の実施の形態で示したような、折目（４２３）によって放射状に連結されたポケットチーフ２００Ａを備えている。ポケットチーフ４００が備えるポケットチーフ２００Ｂ，２００Ｃも同様であり、ポケットチーフ１００Ｃに対し、その他の色及び／又は模様を有する生地が、折目（４２３）によって連結されることで形成されている。また複数枚の生地が折目（４２３）によって放射状に連結されたポケットチーフ２００Ｄの場合は、別の折目（４２３）によってポケットチーフ１００Ｃに放射状に連結されている。以上のように本考案を説明してきたが、本考案のポケットチーフ及びその作成方法は、装身具や装飾布に広く応用することができる。このように本考案はその趣旨を逸脱しない範囲で適宜変更が可能である。
【符号の説明】
【００５５】
１００，２００，３００，４００                              ポケットチーフ、
１ａ，１ｂ，１ｃ，１ｄ，２１ａ，２１ｂ，２１ｃ，２１ｄ      生地、
２ａ，２ｂ，２ｃ，２ｄ                                      境目、
３ａ，３ｂ，３ｃ，３ｄ                                      折目、
４ａ，４ｂ，４ｃ，４ｄ，２４ａ，２４ｂ，２４ｃ，２４ｄ      面、
５                                                          芯材、
６                                                          縫い目（一枚の生地の縫い目）、
７                                                          返し口、
８                                                          縫い目（生地同士の縫い目）、
９ａ，９ｂ                                                  側端（左側端、右側端）、
１０                                                        繋ぎ目、
１１ａ，１１ｂ，１１ｃ，１１ｄ                              生地の両縁、
２２ａ，２２ｂ，２２ｃ，２２ｄ                              頂部、
２３                                                        折目、
Ａ                                                          外面、
Ｂ                                                          内面、
Ｃ                                                          正面、
Ｄ                                                          背面
【図１】
0003220591.tif 000003
【図２】
0003220591.tif 000004
【図３】
0003220591.tif 000005
【図４】
0003220591.tif 000006
【図５】
0003220591.tif 000007
【図６】
0003220591.tif 000008
【図７】
0003220591.tif 000009
【図８】
0003220591.tif 000010
【図９】
0003220591.tif 000011
【図１０】
0003220591.tif 000012
【図１１】
0003220591.tif 000013
【図１２】
0003220591.tif 000014
【図１３】
0003220591.tif 000015
【図１４】
0003220591.tif 000016
【図１５】
0003220591.tif 000017
【図１６】
0003220591.tif 000018
【図１７】
0003220591.tif 000019
【図１８】
0003220591.tif 000020
【図１９】
0003220591.tif 000021
【図２０】
0003220591.tif 000022
【図２１】
0003220591.tif 000023
【図２２】
0003220591.tif 000024
【図２３】
0003220591.tif 000025
【図２４】
0003220591.tif 000026
【図２５】
0003220591.tif 000027